(57)【特許請求の範囲】
【請求項１】
所定の内容物を収納した口栓付き袋を付け替え可能な繰り返し使用容器であって、
前記口栓付き袋を収納する容器本体と、
前記口栓付き袋の口栓を挟み込んで固定すると共に、前記容器本体に嵌め込まれる中蓋と、を備え、
前記中蓋は、前記口栓を挟み込むための開口部を全体として形成する複数の天板部と、前記複数の天板部を互いに連結する屈曲自在のヒンジ部と、を有し、
前記複数の天板部は、前記ヒンジ部が屈曲した際に形成される前記開口部により前記口栓を挟み込んで固定し、前記ヒンジ部が伸びた際に前記開口部による前記口栓の固定を解除し、
前記ヒンジ部は、少なくとも当該ヒンジ部が屈曲した際に前記天板部の外縁よりも平面方向内側に位置するように前記天板部に取り付けられており、前記ヒンジ部は、当該ヒンジ部を屈曲させた際、その屈曲先端が前記複数の天板部の平面方向内側に向かって又は前記容器本体に向かって折れ曲がる、繰り返し使用容器。
【請求項２】
前記所定の内容物を収容した口栓付き袋と、
前記口栓付き袋の前記口栓を閉じる内キャップと、を更に備え、
前記内キャップは、前記中蓋をその間に挟んで当該口栓に嵌め込まれる、請求項１に記載の繰り返し使用容器。
【請求項３】
前記口栓は、大外径部と、前記大外径部よりも外径の小さい小外径部とを含んでおり、
前記複数の天板部により形成される前記開口部が前記小外径部に入り込むことで前記口栓を挟み込んで固定する、請求項１又は２に記載の繰り返し使用容器。
【請求項４】
前記ヒンジ部は、前記複数の天板部の下方又は上方に取り付けられている、請求項１〜３の何れか一項に記載の繰り返し使用容器。
【請求項５】
前記容器本体及び前記中蓋の少なくとも一方には空気が透過可能な孔が形成されている、請求項１〜４の何れか一項に記載の繰り返し使用容器。
【請求項６】
前記ヒンジ部は、屈曲した際に所定の方向に折れ曲がるように予め型付けされている、請求項１〜５の何れか一項に記載の繰り返し使用容器。
【請求項７】
前記容器本体に嵌め込まれる外キャップを更に備える、請求項１〜６の何れか一項に記載の繰り返し使用容器。
【請求項８】
前記ヒンジ部は、前記天板部の連結先の別の天板部側の縁から所定距離内側に入った箇所で、当該天板部に取り付けられている、請求項１〜７の何れか一項に記載の繰り返し使用容器。
【請求項９】
前記ヒンジ部は、長手方向の中央部であって前記天板部の平面方向内側寄りの縁に切欠き部を有している、請求項１〜８の何れか一項に記載の繰り返し使用容器。
【発明の詳細な説明】
【技術分野】
【０００１】
本発明は、繰り返し使用容器に関し、特に口栓付き袋を付け替え可能な繰り返し使用容器に関する。
【背景技術】
【０００２】
液体洗剤等の詰め替えを行う場合、詰め替え用パックの開封部を切開により開封し、液体洗剤用ボトルに詰め替え用の液体洗剤などを充填している。このような詰め替え方式では、詰め替え作業を行う際、詰め替え用パックの内容物をこぼしてしまうことがあった。そこで、例えば特許文献１では、詰め替え用パックの内容物をこぼしてしまうといったことがないように、詰め替え用パックをそのままボトル本体に収納して使用することができるボトル及びキャップ構成を提案している。
【先行技術文献】
【特許文献】
【０００３】
【特許文献１】特開平８−１９２８７２号公報
【発明の概要】
【発明が解決しようとする課題】
【０００４】
しかしながら、特許文献１に記載のボトル及びキャップ構成では、詰め替え用パックの開封部を切開により開封した後、比較的、薄くて折れ曲がり易い開封部をパイプ、パッキン及び嵌合部材等の多数の部材を用いてキャップに対して固定して使用する構成となっている。このため、固定作業を行う際、開封部がよれてしまい開封部を確実にキャップに固定することが難しい場合があり、その作業が困難となってしまう虞があった。また、パッキン等のシール部材により液体洗剤等の内容物が詰め替え用パックとキャップとの間から漏れないようにしているため、詰め替え用パックを何度か交換した場合、その密封性を維持することが難しい場合がある。
【０００５】
本発明は、上述した課題を解決するためのものであり、口栓付き袋の付け替え作業を容易に行える繰り返し使用容器を提供することを目的とする。
【課題を解決するための手段】
【０００６】
本発明は、その一側面として、所定の内容物を収容した口栓付き袋を付け替え可能な繰り返し使用容器に関する。この繰り返し使用容器は、口栓付き袋を収納する容器本体と、口栓付き袋の口栓を挟み込んで固定すると共に、容器本体に嵌め込まれる中蓋と、を備えている。中蓋は、口栓を挟み込むための開口部を全体として形成する複数の天板部と、複数の天板部を互いに連結する屈曲自在のヒンジ部と、を有し、複数の天板部は、ヒンジ部が屈曲した際に形成される開口部により口栓を挟み込んで固定し、ヒンジ部が伸びた際に開口部による口栓の固定を解除する。この繰り返し使用容器では、ヒンジ部は、少なくとも当該ヒンジ部が屈曲した際に天板部の外縁よりも平面方向内側に位置するように天板部に取り付けられている。
【０００７】
この繰り返し使用容器では、所定の内容物を収容した口栓付き袋を付け替え可能とするための構成として、口栓を挟み込むための開口部を全体として形成する複数の天板部と、複数の天板部を互いに連結する屈曲自在のヒンジ部とを有する中蓋を設け、ヒンジ部が屈曲した際に形成される開口部により口栓付き袋の口栓を挟み込んで固定するようにしている。この場合、密封性等を予め付与することが可能で通常、所定の強度を有している口栓を有する口栓付き袋をヒンジ部の屈強動作により開口部で固定する構成となるため、密封性等の問題が生じることなく、簡単に付け替え作業を行うことができる。なお、上記の繰り返し使用容器は、所定の内容物を収容した口栓付き袋と、口栓付き袋の口栓を閉じる内キャップとを当初から備えるように構成してもよいし、後から追加するように構成してもよく、内キャップは、中蓋をその間に挟んで当該口栓に嵌め込まれるように構成される。また、この繰り返し使用容器では、口栓付き袋とその口栓を閉じる内キャップとを有する構成となっているため、内容物が液体等であっても密封性を容易に提供することができる。更に、この繰り返し使用容器では、ヒンジ部は、少なくとも当該ヒンジ部が屈曲した際に天板部の外縁よりも平面方向内側に位置するように天板部に取り付けられている。この場合、ヒンジ部の屈曲により開口部で口栓付き袋を固定した中蓋の外縁からヒンジ部が突出等しない構成となるため、中蓋を容器本体に容易に嵌め込むことができる。
【０００８】
上記の繰り返し使用容器では、口栓は、大外径部と、大外径部よりも径の小さい小外径部とを含んでおり、複数の天板部により形成される開口部が小外径部に入り込むことで口栓を挟み込んで固定することが好ましい。この場合、大外径部により、小外径部に入り込んだ開口部の移動が制限されるため、付け替えされた口栓付き袋の容器内での移動を抑制することができる。
【０００９】
上記の繰り返し使用容器では、ヒンジ部は、複数の天板部の下方又は上方に取り付けられていることが好ましい。この場合、ヒンジ部を、天板部の外縁よりも平面方向内側に位置するように天板部に取り付けることを容易に実現できる。
【００１０】
上記の繰り返し使用容器では、ヒンジ部は、当該ヒンジ部を屈曲させた際、その屈曲先端が複数の天板部の平面方向内側に向かって又は容器本体に向かって折れ曲がることが好ましい。この場合、ヒンジ部を、屈曲した際に天板部の外縁よりも平面方向内側に位置するように天板部に取り付けることを容易に実現できる。
【００１１】
上記の繰り返し使用容器では、容器本体及び中蓋の少なくとも一方には空気が透過可能な孔が形成されていてもよい。口栓付き袋に収容される内容物によっては、空気中の酸素を吸収し、密封容器内を減圧にする場合があり、かかる減圧により容器が凹む場合がある。しかしながら、上述したように孔を形成することにより、容器本体等が凹むのを防止することができ、容器の外観を綺麗な状態に維持できる。
【００１２】
上記の繰り返し使用容器では、ヒンジ部は、屈曲した際に所定の方向に折れ曲がるように予め型付けされていることが好ましい。この場合、ヒンジ部の屈曲動作を一定の方向にすることができ、口栓付き袋の付け替え作業を繰り返した場合でも、ヒンジ部が破損等してしまう可能性を低減することができる。
【００１３】
上記の繰り返し使用容器は、容器本体に嵌め込まれる外キャップを更に備えていてもよい。なお、このような外キャップに目盛り線を設けておく場合、計量カップとしても使用することができるため、使用の利便性を向上できる。
【００１４】
上記の繰り返し使用容器では、ヒンジ部は、天板部の連結先の別の天板部側の縁から所定距離内側に入った箇所で、当該天板部に取り付けられていてもよい。この場合、ヒンジ部が屈曲して隣接する天板部同士が接する際、ヒンジ部の収容箇所を確保することできる。
【００１５】
上記の繰り返し使用容器では、ヒンジ部は、長手方向の中央部であって天板部の平面方向内側寄りの縁に切欠き部を有していてもよい。この場合、ヒンジ部を天板部の平面方向内側に向かってより確実に屈曲させることができる。
【発明の効果】
【００１６】
本発明によれば、口栓付き袋の付け替え作業を容易に行える繰り返し使用容器を提供することができる。
【図面の簡単な説明】
【００１７】
【図１】図１は、本発明の一実施形態に係る繰り返し使用容器の分解斜視図である。
【図２】図２は、図１に示す繰り返し使用容器の中蓋を示す平面図である。
【図３】図３（ａ）は、図２に示す中蓋のＩＩＩ（ａ）―ＩＩＩ（ａ）線に沿った断面図であり、図３（ｂ）は、図２に示す中蓋のＩＩＩ（ｂ）−ＩＩＩ（ｂ）線に沿った断面図である。
【図４】図４は、図２に示す中蓋のＩＶ−ＩＶ線に沿った断面図である。
【図５】図５（ａ）は、図２に示す中蓋のヒンジ部を示す平面図であり、図５（ｂ），（ｃ）は、ヒンジ部の変形例を示す平面図である。
【図６】図６は、中蓋によって口栓が挟み込まれて固定されている状態を示す一部拡大断面図である。
【図７】図７は、図１に示す繰り返し使用容器の充填方法を示す斜視図である。
【発明を実施するための形態】
【００１８】
以下、図面を参照しつつ、本発明に係る繰り返し使用容器について詳細に説明する。説明において、同一要素又は同一機能を有する要素には、同一符号を用いる場合があり、重複する説明は省略する。
【００１９】
図１は、本発明の一実施形態に係る繰り返し使用容器の分解斜視図である。繰り返し使用容器１は、所定の内容物を収容した口栓付き袋１０を付け替え可能な容器であって、図１に示すように、口栓付き袋１０、容器本体２０、中蓋３０、内キャップ４０、及び、外キャップ５０を備えて構成される。口栓付き袋１０に収容される内容物としては、洗剤や入浴剤や粉ミルクなどの紛体、又は、洗剤や入浴剤などの液体等を例示することができるが、これらに限定されず各種のものを収容することが可能である。
【００２０】
口栓付き袋１０は、所定の内容物を収容するための袋であり、フィルムパックなどから形成される袋部１１を有すると共に、当該内容物の出入口となる口栓１２を先端部に設けた構成となっている。口栓１２は、所定の強度を有するように構成されている。口栓１２には、その外周部にネジ部１２ａが形成されており、そのネジ部１２ａが内キャップ４０内に形成されたナット部（不図示）に螺合されることにより、口栓付き袋１０の内容物が外部に漏出しないように密封される。口栓付き袋１０に収容される内容物の種類（例えば紛体物）によっては、密封までされていなくてもよい。また、口栓１２には、後述する中蓋３０が嵌め込まれる嵌込み部１２ｂが形成されている。なお、口栓付き袋１０は他の用途では従来から用いられているため、その構成の詳細な説明は省略する。
【００２１】
容器本体２０は、口栓付き袋１０を収納するための容器であり、口栓付き袋１０を収納するための収納部を内部に有している。容器本体２０は、例えば断面が円形、楕円形又は多角形等である有底の筒形状を呈し、一方が開口部２０ａとして開口している。容器本体２０は、例えばプラスチックや紙等から形成することができるが、耐水性の観点からはプラスチックから形成されることが好ましい。また、容器本体２０には、空気が透過可能な孔が１つ又は複数形成されていてもよい。口栓付き袋１０に収納される内容物が空気中の酸素を吸収してしまうもの（例えばコーヒー豆など）である場合、密封容器であると酸素の吸収により容器１内を減圧にしてしまうことがあるが、かかる孔を設けることにより、減圧による容器の凹み等を抑制できる。なお、このような孔は、容器本体２０と共に、又は容器本体２０とは別に、以下で説明する中蓋３０に設けるようにしてもよい。
【００２２】
中蓋３０は、口栓付き袋１０の口栓１２を開口部３０ａにより挟め込んで容器本体２０に固定するための部材であり、その外形が容器本体２０に嵌め込まれるように形成されている。中蓋３０は、開口部３０ａを全体としてその内側に形成する一対の天板部３１，３２（複数の天板部）と、天板部３１，３２を互いに連結する屈曲自在の一対のヒンジ部３３，３４とを含んで構成される。中蓋３０は、ヒンジ部３３，３４の屈曲により、図示矢印で示すように、天板部３１，３２を互いに近づけて一体化させて開口部３０ａにより口栓１２を固定する一方、ヒンジ部３３，３４の伸びにより、天板部３１，３２を離間させてその固定を解除するようになっている。図１では、天板部３１，３２が離間した状態を示している。なお、中蓋３０の詳細については、後述する。
【００２３】
内キャップ４０は、口栓付き袋１０の口栓１２を閉じるためのキャップ部材である。内キャップ４０は、口栓付き袋１０内に収容した内容物を出し入れするための開口部４２と、開口部４２を閉じるための蓋部４４とを含んで構成される。内キャップ４０は、口栓付き袋１０内に液体が収容されている場合には口栓１２を密封するよう構成されることが好ましいが、紛体等の場合には内容物が漏れない程度に封じる構成でよい。内キャップ４０は、例えばプラスチック材料から形成される。また、内キャップ４０は、その内部に口栓１２のネジ部１２ａに螺合するボルト部が形成されており、中蓋３０をその間に挟んで口栓付き袋１０の口栓１２に嵌め込まれる。なお、内キャップ４０は、口栓付き袋１０の口栓１２にネジ式で嵌め込まれてよいし、打栓式で嵌め込まれてもよい。
【００２４】
外キャップ５０は、口栓付き袋１０の口栓１２、中蓋３０、及び、口栓１２に嵌め込まれる内キャップ４０等を覆い、容器本体２０に嵌め込まれるキャップ部材である。外キャップ５０は、例えばプラスチック材料から形成される。外キャップ５０は、容器本体２０にネジ式で嵌め込まれてよいし、打栓式で嵌め込まれてもよい。なお、外キャップ５０に目盛り線を設けて、計量カップとして使用できるようにしてもよい。この場合、使用の利便性を向上できる。
【００２５】
次に、図２〜図６を参照して、繰り返し使用容器１の中蓋３０について、より詳細に説明する。図２は、図１に示す繰り返し使用容器の中蓋を示す平面図である。図３（ａ）は、図２に示す中蓋のＩＩＩ（ａ）―ＩＩＩ（ａ）線に沿った断面図であり、図３（ｂ）は、図２に示す中蓋のＩＩＩ（ｂ）−ＩＩＩ（ｂ）線に沿った断面図である。図４は、図２に示す中蓋のＩＶ−ＩＶ線に沿った断面図である。図５（ａ）は、図２に示す中蓋のヒンジ部を示す平面図であり、図５（ｂ）、（ｃ）は、ヒンジ部の変形例を示す平面図である。図６は、中蓋によって口栓が挟み込まれて固定されている状態を示す一部拡大断面図である。
【００２６】
中蓋３０は、上述したように、口栓付き袋１０の口栓１２を開口部３０ａにより挟み込んで容器本体２０に固定するための部材である。中蓋３０は、容器本体２０の開口部２０ａ（図１参照）に嵌め込まれるため、その平面形状外形が容器本体２０の断面形状と略一致するようになっており、図２に示す例では、全体として平面視した際に略楕円形状を呈するようになっている。中蓋３０は、容器本体２０の開口部２０ａの断面形状に一致するように、その平面形状外形が略円形形状や略四角形形状であってもよい。中蓋３０の容器本体２０への嵌め込み方は、ネジ式又は打栓等の何れの方法を用いてもよい。また、中蓋３０は、口栓１２を挟み込むための開口部３０ａをその中心部に有しているが、開口部３０ａは、例えば、口栓１２の最外径よりも径の小さい内径を有する円形となっている。
【００２７】
このような全体形状を呈する中蓋３０は、一対の天板部３１，３２と、一対のヒンジ部３３,３４とを含んで構成される。天板部３１，３２それぞれは、天板部全体が略楕円形状を呈するように、半楕円形状を呈する薄い板状の部材から形成される。また、天板部３１，３２は、互いに対向する側に半円形状の切欠き部３１ａ，３２ａを有する。これら切欠き部３１ａ，３２ａが合わさることにより、上述した平面円形形状の開口部３０ａが形成される。
【００２８】
ヒンジ部３３，３４は、図２〜図５に示すように、天板部３１，３２の両縁において両者を連結する屈曲自在の薄板状の連結部材であり、例えば天板部３１，３２の下方に取り付けられる。薄板状のヒンジ部３３，３４は、その長手方向の略中央に厚み方向に凹む切欠き部３３ａ，３４ａを有し、その両端部３４ｂ，３４ｃ（図５参照）において切欠き部３３ａ，３４ａが形成された側に向かって厚みが薄くなるように形成される。ヒンジ部３３，３４は、切欠き部３３ａ，３４ａが形成されている側に屈曲するように構成されるが、両端部３４ｂ，３４ｃの厚みが薄いことにより、この屈曲動作が容易に行われる。なお、図５の（ａ）にヒンジ部３４の形状を拡大して示しているが、ヒンジ部３３も同様である。また、ヒンジ部は、図５（ｂ）に示されるように、短手方向（厚み方向）の中心に向かって薄くなるようにその両端３７ｂ，３７ｃが形成されたヒンジ部３７であってもよいし、図５（ｃ）に示されるように、屈曲した際に所定の方向に折れ曲がるように予め型付けされたヒンジ部３８であってもよい。この場合、ヒンジ部３８の屈曲動作を一定の方向に誘導することができ、口栓付き袋１０の付け替え作業を繰り返した場合でも想定外の方向への屈曲によりヒンジ部３８が破損等してしまう可能性を低減できる。
【００２９】
また、ヒンジ部３４には、図４に示すように、側面から視た際に略矩形の平板形状を呈しており、両端部３４ｂ，３４ｃの図示上方に突出部３４ｄ，３４ｅが形成されている。ヒンジ部３４は、これら突出部３４ｄ，３４ｅを介して、天板部３１，３２それぞれの下方に取り付けられる。また、このような突出部３４ｄ，３４ｅの隣接した領域には窪み３９が形成されており、かかる窪み３９により、天板部３１，３２が近接した際、ヒンジ部３４が天板部３１，３２の下側に確実に収納される。ヒンジ部３３の構成も上記と同様である。また、両ヒンジ部３３，３４は、両ヒンジ部３３，３４が屈曲した際及び伸びた際に、天板部３１，３２の平面方向外縁よりも平面方向内側に位置するように天板部３１，３２に取り付けられていることが好ましい。このような配置構成により、中蓋３０を容器本体２０の開口部２０ａに嵌め合わせる際、ヒンジ部３３，３４によって邪魔されることがない。なお、両ヒンジ部３３，３４が屈曲した際及び伸びた際に天板部３１，３２の平面方向外縁よりも両ヒンジ部３３，３４が平面方向内側に位置するのであれば、例えば天板部３１，３２の上方にヒンジ部３３，３４が取り付けられていてもよい。
【００３０】
このような構成を備えた中蓋３０では、図２の矢印Ａで示すようにヒンジ部３３，３４が屈曲して内側に折れ曲がり、一対の天板部３１，３２が矢印Ｂで示すように互いに近づいて一体化された際に、開口部３０ａにより口栓１２を挟み込んで固定する。一方、ヒンジ部３３，３４が伸びて互いが離れた際に、切欠き部３１ａ，３２ａ間に空間が形成されて開口部３０ａによる口栓１２の固定を解除する。なお、図６は、口栓１２が天板部３１，３２によって挟み込まれた状態を示しているが、口栓１２の嵌込み部１２ｂの大外径部１２ｃよりも径が小さい小外径部１２ｄに中蓋３０の天板部３１，３２が入り込むことにより、中蓋３０の移動が制限され、これにより、中蓋３０に対して口栓１２が確実に固定される。
【００３１】
なお、中蓋３０は、図２及び図３に示すように、更に、突出部３５，３６を有している。これら突出部３５，３６は、例えば天板部３１側に設けられており、天板部３１，３２が互いに近づいた際に天板部３２を下方から支えて、天板部３１，３２の面一性を維持する機能を奏する。このような突出部３５，３６により、開口部３０ａによる口栓１２の固定を確実に実行することが可能となる。つまり、天板部３１，３２が上下方向にずれることなく、口栓１２の所定の小外径部１２ｄに確実に入り込むようになる。また、中蓋３０の天板部３１，３２それぞれは、図３及び図４に示すように、その下方外周に沿って形成される枠部３１ｃ，３１ｄ，３２ｃ，３２ｄを有しており、これら枠部３１ｃ，３１ｄ，３２ｃ，３２ｄにより、中蓋３０を容器本体２０に打栓結合させる。
【００３２】
次に、上記構成を有する繰り返し使用容器１の組立方法について、図７を参照して説明する。図７は、図１等に示す繰り返し使用容器の充填方法を示す斜視図である。まず、図７の（ａ）に示すように、口栓付き袋１０の口栓１２を切欠き部３１ａ，３２ａからなる開口部３０ａで中蓋３０に固定すると共に、中蓋３０と一体化された口栓付き袋１０を容器本体２０内に収納して、容器本体２０と中蓋３０とを嵌め合わせる。その後、図７の（ｂ）に示すように、口栓１２に内キャップ４０をネジ方式により嵌め合わせる。そして、図２の（ｃ）に示すように、それらの上に外キャップ５０を嵌め合わせる。これにより、繰り返し使用容器１が完成する。
【００３３】
このように、本実施形態に係る繰り返し使用容器１では、所定の内容物を収容した口栓付き袋１０を付け替え可能とするための構成として、口栓１２を挟み込むための開口部３０ａを全体として形成する天板部３１，３２と、天板部３１，３２を互いに連結する屈曲自在のヒンジ部３３，３４とを有する中蓋３０を設け、ヒンジ部３３，３４が屈曲した際に形成される開口部３０ａにより口栓付き袋１０の口栓１２を挟み込んで固定するようにしている。このように、密封性等を予め付与することが可能で且つ所定の強度を有する口栓１２を有する口栓付き袋１０をヒンジ部３３，３４の屈強動作により開口部３０ａで固定する構成となるため、密封性等の問題が生じることなく、簡単に口栓付き袋１０の付け替え作業を行うことができる。なお、この繰り返し使用容器１では、口栓付き袋１０とその口栓１２を閉じる内キャップ４０とを有する構成となっているため、内容物が液体等であっても密封性を容易に提供することができる。更に、この繰り返し使用容器１では、ヒンジ部３３，３４は、ヒンジ部３３，３４が屈曲した際等に天板部３１，３２の外縁よりも平面方向内側に位置するように天板部３１，３２に取り付けられている。このため、ヒンジ部３３，３４の屈曲により開口部３０ａで口栓付き袋１０を固定した中蓋３０の外縁からヒンジ部３３，３４が突出等しない構成となるため、中蓋３０を容器本体２０に容易に嵌め込むことができる。
【００３４】
また、本実施形態に係る繰り返し使用容器１では、口栓１２は、大外径部１２ｃと小外径部１２ｄとを含んでおり、天板部３１，３２により形成される開口部３０ａが小外径部１２ｄに入り込むことで口栓１２を挟み込んで固定している。このため、大外径部１２ｃにより小外径部１２ｄに入り込んだ開口部３０ａの移動が制限されるため、付け替えされた口栓付き袋１０の容器１内での移動を抑制することができる。
【００３５】
また、本実施形態に係る繰り返し使用容器１では、ヒンジ部３３，３４は、天板部３１，３２の下方に取り付けられている。このため、ヒンジ部３３，３４を、天板部３１，３２の外縁よりも平面方向内側に位置するように天板部３１，３２に取り付けることを容易に実現できる。
【００３６】
また、本実施形態に係る繰り返し使用容器１では、ヒンジ部３３，３４は、当該ヒンジ部３３，３４を屈曲させた際、その屈曲先端が天板部３１,３２の平面方向内側に向かって折れ曲がるようになっている。このため、ヒンジ部３３，３４を、屈曲した際に天板部３１，３２の外縁よりも平面方向内側に位置するように天板部３１，３２に取り付けることを容易に実現できる。
【００３７】
また、本実施形態に係る繰り返し使用容器１では、ヒンジ部３３,３４は、天板部３１，３２の連結先の別の天板部３２，３１側の縁から所定距離内側に入った箇所で、当該天板部３１，３２に取り付けられている。このため、窪み３９（隙間）が形成され、ヒンジ部３３，３４が屈曲して隣接する天板部３１，３２同士が接する際、ヒンジ部３３，３４の収容箇所を容易に確保することできる。
【００３８】
また、本実施形態に係る繰り返し使用容器１では、ヒンジ部３３，３４は、長手方向の中央部であって天板部３１，３２の平面方向内側寄りの縁に切欠き部３３ａ，３４ａを有している。このような構成により、ヒンジ部３３，３４を天板部３１，３２の平面方向内側に向かってより確実に屈曲させることができる。
【００３９】
以上、本実施形態に係る繰り返し使用容器について説明してきたが、本発明に係る繰り返し使用容器は、上記実施形態に限定されるものではなく、種々の変形を適用することができる。例えば、上記実施形態では、中蓋３０のヒンジ部３３，３４は、平面方向の内側に折れ曲がる例を示したが、ヒンジ部３３，３４の屈曲方向はこれに限定されるわけではなく、容器本体２側や外キャップ５側（図１の下方）に折れ曲がるようにしてもよい。このような構成にした場合であっても、屈曲したヒンジ部３３，３４が口栓付き袋１０を避けるように構成すれば、中蓋３０の開口部３０ａによる口栓１２の固定を確実に行うことができる。
【００４０】
また、上記実施形態では、一対の天板部３１，３２を含む中蓋３０の例を示したが、天板部は２つである必要はなく、口栓１２を固定することが可能は開口部を全体として形成することができるのであれば、３つ以上の天板部から中蓋３０が構成されていてもよい。この場合、隣接する天板部間を屈曲自在なヒンジ部でそれぞれ連結して、その内側に開口部を形成できるような構成とすることが可能である。
【符号の説明】
【００４１】
１…繰り返し使用容器、１０…口栓付き袋、１２…口栓、１２ｃ…大外径部、１２ｄ…小外径部、２０…容器本体、３０…中蓋、３０ａ…開口部、３１，３２…天板部、３１ａ，３２ａ…切欠き部、３３，３４，３７，３８…ヒンジ部、４０…内キャップ、５０…外キャップ。
【図１】
0006582427.tif 000002
【図２】
0006582427.tif 000003
【図３】
0006582427.tif 000004
【図４】
0006582427.tif 000005
【図５】
0006582427.tif 000006
【図６】
0006582427.tif 000007
【図７】
0006582427.tif 000008